(57)【要約】      （修正有）【課題】基板に組み付けられてＬＣＤとの電気信号の接続に供される薄型コネクタの提供。【解決手段】薄型コネクタ１は絶縁本体２、遮蔽体４、導電端子３、及び接続遮蔽板５を具え、該接続遮蔽板は導電端子と絶縁本体の間に組み付けられ、並びにマザーボードの接地回路と導通し、且つ該接続遮蔽板の両側短辺に長辺と相互に垂直な組み付けアーム５０が設けられ、該組み付けアームが組み付け位置決め用の干渉部３１と、対応コネクタと相互に係合するロック孔５０２を具え、以上の構造の特徴により、接続遮蔽板とコネクタの金属遮蔽体が短距離の全面式遮蔽を形成し、これにより導電端子相互間のクロストークが減らされ、周知の電気信号伝送の不安定な現象が減らされ、該組み付けアームのロック孔により、対応コネクタとの安定した接続を提供し、使用中の逸脱による切断の恐れがない。【選択図】図１
0003104378.tif 000002
【実用新案登録請求の範囲】
【請求項１】
基板に組み付けられて電気信号の接続に用いられる薄型コネクタであり、絶縁本体、導電端子、遮蔽体、及び接続遮蔽板を具え、
該絶縁本体は扁平な直方体とされ、長軸側にあって相互に対応する接続面と接合面、及び該接続面と接合面の間に隣接する上面、底面及び両側面、及び両側面に近接するロックエリアを具え、そのうち接続面に接続溝が設けられて対応コネクタの挿入に供され、接続溝の内壁に接合面に貫通する収容孔が設けられ、該ロックエリアにロック挿入溝と組み付け孔が設けられ、
該導電端子は、これら収容孔に収容され、接触部、干渉部及びソルダー部を具え、
該遮蔽体は、該絶縁本体の接続面、上面、底面、両側面及びロックエリアを被覆し、第１遮蔽面、第２遮蔽面、第３遮蔽面及び両側遮蔽面を具え、絶縁本体の接続溝及びロックエリアのロック挿入溝に対応するように挿入孔が設けられ、
該接続遮蔽板は、導電端子と絶縁本体の間に組み付けられ、長方形とされ、両側の短辺より長辺と相互に垂直な組み付けアームが一体に延伸され、該組み付けアームはロックエリアの組み付け孔と嵌合、係合される干渉部を具え、及び、対応コネクタと係合されるロック孔を具え、
該接続遮蔽板と金属の遮蔽体がが短距離の全面式遮蔽を形成し、これにより導電端子相互間のクロストークが減らされ、組み付けアームのロック孔により対応コネクタと強固な接続を形成できることを特徴とする、薄型コネクタ。
【請求項２】
請求項１記載の薄型コネクタにおいて、接続遮蔽板の一側に複数のピンが設けられ、絶縁本体の接続溝内に、これらピンに対応する挿入孔が設けられ、接続遮蔽板が絶縁本体に組み付けられることを特徴とする、薄型コネクタ。
【請求項３】
請求項２記載の薄型コネクタにおいて、接続遮蔽板の組み付けアームに近接する位置に接地ピンが設けられ、そのソルダー部が折り曲げられてマザーボードの接地回路に表面実装により接続可能とされたことを特徴とする、薄型コネクタ。
【請求項４】
請求項３記載の薄型コネクタにおいて、ロック孔が接続遮蔽板の長辺と短辺の接続部分に形成されたことを特徴とする、薄型コネクタ。
【請求項５】
請求項４記載の薄型コネクタにおいて、組み付けアームの干渉部が接続遮蔽板の短辺より一体に延伸され、且つその側縁に係止用の凸粒が形成されたことを特徴とする、薄型コネクタ。
【請求項６】
請求項５記載の薄型コネクタにおいて、絶縁本体の上面と底面に下凹プラットフォームが設けられ、遮蔽体が被覆後に上面と底面がそれぞれ平坦に揃えられることを特徴とする、薄型コネクタ。
【請求項７】
請求項６記載の薄型コネクタにおいて、遮蔽体の両側遮蔽面にマザーボードとの表面実装用の凸耳が設けられたことを特徴とする、薄型コネクタ。
【請求項８】
請求項７記載の薄型コネクタにおいて、遮蔽体の第１遮蔽面に複数の固定ピンが設けられ、絶縁本体の接続溝内に、これら固定ピンに対応する固定溝が設けられたことを特徴とする、薄型コネクタ。
【請求項９】
請求項１記載の薄型コネクタにおいて、ロックエリアが絶縁本体の両側面より上面、底面及び接合面に沿って一体に形成されたことを特徴とする、薄型コネクタ。
【請求項１０】
請求項８記載の薄型コネクタにおいて、接続遮蔽板の面上に弾性支持板が設けられたことを特徴とする、薄型コネクタ。
【考案の詳細な説明】
【技術分野】
【０００１】
本考案は薄型コネクタに係り、特に、基板に組み付けられて液晶ディスプレイ（ＬＣＤ）と電気信号の接続を行なうのに用いられ、薄く、遮蔽硬化が良好で、且つ接続時のロック効果を有する薄型コネクタに関する。
【背景技術】
【０００２】
本考案と関係のあるコネクタは、マザーボードに組み付けられてＬＣＤと電気信号の接続を行なうのに用いられる。このようなコネクタはその伝送するデータが大きく、このためその導電端子の数量は非常に多く、且つ薄型化された体積内に組み付けられるため、導電端子が緊密に配列される。また、電気信号を安定して伝送して伝送品質を確保するため、このようなコネクタには一般に、コネクタの絶縁本体の外周を被覆する金属遮蔽体が設けられ、これにより外界雑音による干渉を防止している。
【０００３】
しかし、該金属遮蔽体は外周面より被覆するため、外界雑音の干渉は防止できるが、緊密に配列された導電端子が電気信号伝送過程に相互の間のクロストーク干渉を発生して直接電気信号伝送の安定と品質に影響を与え得る。さらに、このように電気信号をＬＣＤに伝送するコネクタは該ＬＣＤが常に開閉操作されるのにも関わらず、対応して接続される二つのコネクタの間にロック構造の設計がないため、ＬＣＤの開閉の操作中に相互に接続されたコネクタに弛みや脱落が発生し、電気信号接触不良や回路切断の現象が発生した。
【考案の開示】
【考案が解決しようとする課題】
【０００４】
本考案は一種の薄型コネクタを提供することを目的とし、それは、遮蔽効果が良好で、周知の技術の電気信号伝送の不安定な現象を改善でき、且つ対応コネクタとの接続後にロック効果を提供し、弛みや脱落の現象を発生しないものとする。
【課題を解決するための手段】
【０００５】
請求項１の考案は、基板に組み付けられて電気信号の接続に用いられる薄型コネクタであり、絶縁本体、導電端子、遮蔽体、及び接続遮蔽板を具え、
該絶縁本体は扁平な直方体とされ、長軸側にあって相互に対応する接続面と接合面、及び該接続面と接合面の間に隣接する上面、底面及び両側面、及び両側面に近接するロックエリアを具え、そのうち接続面に接続溝が設けられて対応コネクタの挿入に供され、接続溝の内壁に接合面に貫通する収容孔が設けられ、該ロックエリアにロック挿入溝と組み付け孔が設けられ、
該導電端子は、これら収容孔に収容され、接触部、干渉部及びソルダー部を具え、
該遮蔽体は、該絶縁本体の接続面、上面、底面、両側面及びロックエリアを被覆し、第１遮蔽面、第２遮蔽面、第３遮蔽面及び両側遮蔽面を具え、絶縁本体の接続溝及びロックエリアのロック挿入溝に対応するように挿入孔が設けられ、
該接続遮蔽板は、導電端子と絶縁本体の間に組み付けられ、長方形とされ、両側の短辺より長辺と相互に垂直な組み付けアームが一体に延伸され、該組み付けアームはロックエリアの組み付け孔と嵌合、係合される干渉部を具え、及び、対応コネクタと係合されるロック孔を具え、
該接続遮蔽板と金属の遮蔽体がが短距離の全面式遮蔽を形成し、これにより導電端子相互間のクロストークが減らされ、組み付けアームのロック孔により対応コネクタと強固な接続を形成できることを特徴とする、薄型コネクタとしている。
請求項２の考案は、請求項１記載の薄型コネクタにおいて、接続遮蔽板の一側に複数のピンが設けられ、絶縁本体の接続溝内に、これらピンに対応する挿入孔が設けられ、接続遮蔽板が絶縁本体に組み付けられることを特徴とする、薄型コネクタとしている。
請求項３の考案は、請求項２記載の薄型コネクタにおいて、接続遮蔽板の組み付けアームに近接する位置に接地ピンが設けられ、そのソルダー部が折り曲げられてマザーボードの接地回路に表面実装により接続可能とされたことを特徴とする、薄型コネクタとしている。
請求項４の考案は、請求項３記載の薄型コネクタにおいて、ロック孔が接続遮蔽板の長辺と短辺の接続部分に形成されたことを特徴とする、薄型コネクタとしている。
請求項５の考案は、請求項４記載の薄型コネクタにおいて、組み付けアームの干渉部が接続遮蔽板の短辺より一体に延伸され、且つその側縁に係止用の凸粒が形成されたことを特徴とする、薄型コネクタとしている。
請求項６の考案は、請求項５記載の薄型コネクタにおいて、絶縁本体の上面と底面に下凹プラットフォームが設けられ、遮蔽体が被覆後に上面と底面がそれぞれ平坦に揃えられることを特徴とする、薄型コネクタとしている。
請求項７の考案は、請求項６記載の薄型コネクタにおいて、遮蔽体の両側遮蔽面にマザーボードとの表面実装用の凸耳が設けられたことを特徴とする、薄型コネクタとしている。
請求項８の考案は、請求項７記載の薄型コネクタにおいて、遮蔽体の第１遮蔽面に複数の固定ピンが設けられ、絶縁本体の接続溝内に、これら固定ピンに対応する固定溝が設けられたことを特徴とする、薄型コネクタとしている。
請求項９の考案は、請求項１記載の薄型コネクタにおいて、ロックエリアが絶縁本体の両側面より上面、底面及び接合面に沿って一体に形成されたことを特徴とする、薄型コネクタとしている。
請求項１０の考案は、請求項８記載の薄型コネクタにおいて、接続遮蔽板の面上に弾性支持板が設けられたことを特徴とする、薄型コネクタとしている。
【考案の効果】
【０００６】
本考案の提供する薄型コネクタは、遮蔽効果が良好で、周知の技術の電気信号伝送の不安定な現象を改善でき、且つ対応コネクタとの接続後にロック効果を提供し、弛みや脱落の現象を発生しない。
【考案を実施するための最良の形態】
【０００７】
本考案の薄型コネクタは、マザーボードの接地回路と接続された接続遮蔽板を具え、該接続遮蔽板は導電端子と絶縁本体の間に組み付けられ、且つ該接続遮蔽板の両側短辺に長辺と相互に垂直な組み付けアームが設けられ、該組み付けアームが組み付け位置決め用の干渉部と、対応コネクタと相互に係合するロック孔を具え、以上の構造の特徴により、接続遮蔽板とコネクタの金属遮蔽体が短距離の全面式遮蔽を形成し、これにより導電端子相互間のクロストーク干渉が減らされ、周知の電気信号伝送の不安定な現象が減らされ、該組み付けアームのロック孔により、対応コネクタとの安定した接続を提供する。
【０００８】
該接続遮蔽板の一側には複数のピンが設けられて絶縁本体の内壁への組み付けに供される。また、該組み付けアームの近隣の接続遮蔽板に接地ピンが設けられ、それはソルダー部を具えてマザーボードの接地回路に半田付けされている。
【実施例１】
【０００９】
図１に示されるように、本考案の薄型コネクタ１は絶縁本体２、導電端子３、遮蔽体４、及び接続遮蔽板５を具えている。そのうち、絶縁本体２は扁平な直方体とされ、長軸側にあって相互に対応する接続面２０と接合面２１、及び該接続面２０と接合面２１の間に隣接する上面２２、底面２３及び両側面２４、２５、及び両側面２４、２５に近接するロックエリア２６を具えている。そのうち、接続面２０に接続溝２０１が設けられて対応コネクタの挿入に供され、接続溝２０１の内壁に接合面２１に貫通する収容孔２０２が設けられ（図１には未表示、図５を参照されたい）て導電端子３を収容する。また、接続溝２０１内に挿入孔２０３（図１には未表示、図８を参照されたい）、固定溝２０４（図１には未表示、図５を参照されたい）が設けられている。また、該ロックエリア２６は絶縁本体２の両側面２４、２５より上面２２、底面２３及び接合面２１に沿って一体成形され、それはロック挿入溝２６１を具え、該ロック挿入溝２６１は対応コネクタのロック手段（図示せず）の挿入に供され、ロック挿入溝２６１の内壁に組み付け孔２６２（図１には未表示、図５、７を参照されたい）が設けられている。また、該絶縁本体２の上面２２と底面２３に下凹プラットフォーム２２１、２３１が設けられて、遮蔽体４で被覆後にその上面２２と底面２３がそれぞれ平坦に揃えられる。
【００１０】
該導電端子３はこれら収容孔２０２に収容され、接触部３０、干渉部３１及びソルダー部３２を具えている。該遮蔽体４は、該絶縁本体２の接続面２０、上面２２、底面２３、両側面２４、２５及びロックエリア２６を被覆し、第１遮蔽面４０、第２遮蔽面４１、第３遮蔽面４２及び両側遮蔽面４３、４４を具え、絶縁本体２の接続溝２０１及びロックエリア２６のロック挿入溝２６１に対応するように挿入孔４５、４６が設けられ、これら挿入孔４５、４６に対応コネクタ及び対応コネクタのロック手段が挿入される。別に、該第１遮蔽面４０に複数の固定ピン４０１が設けられて絶縁本体２の接続溝２０１内の固定溝２０４と組み合わされる（図５）。また、両側遮蔽面４３、４４にマザーボードに表面実装するための凸耳４７が設けられている。
【００１１】
該接続遮蔽板５は、導電端子３と絶縁本体２の間に組み付けられ、それは長方形とされ、両側の短辺より長辺と相互に垂直な組み付けアーム５０が一体に延伸され、該組み付けアーム５０はロックエリア２６の組み付け孔２６２と嵌合、係合される干渉部５００を具えている（図７）。且つその側縁に係止用の凸粒５０１が設けられている。また、長辺と短辺の接続部分にロック孔５０２が設けられて対応コネクタのロック手段との係合に供される。また、接続遮蔽板５の該組み付けアーム５０に近接する位置に接地ピン５１が設けられ、且つその具備するソルダー部５１０は折り曲げられてマザーボードの接地回路に表面実装される。また、該接続遮蔽板５の一側に複数のピン５２が設けられ、それは絶縁本体２の接続溝２０１内の挿入孔２０３と係合し、該接続遮蔽板５を絶縁本体２に組み付ける。さらに、対応コネクタを挿入する時、接続を更に強固とするため、接続遮蔽板５の面上に弾性支持板５３が設けられている。
【００１２】
図１及び図２から図５を併せて参照されたい。本考案の薄型コネクタ１を組み立てる時は、接続遮蔽板５を接続溝２０１より絶縁本体２内に組み付け（図２）、ピン５２を接続溝２０１内の挿入孔２０３に係合させ（図３）、並びに組み付けアーム５０の干渉部５００をロックエリア２６の組み付け孔２６２に係合させる（図７）。次に、導電端子３を絶縁本体２の収容孔２０２に組み付ける（図３、５）。最後に、遮蔽体４を絶縁本体２に組み付け（図４）、これら固定ピン４０１と絶縁本体２の接続溝２０１内の固定溝２０４を相互に組み合わせる（図５）。こうして、本考案の薄型コネクタ１の組立が完成する。組立完成後には、遮蔽体４の挿入孔４５、４６が対応コネクタ及び対応コネクタのロック手段の挿入に供される。図６に示されるように、該遮蔽体４の第２遮蔽面４１と接続遮蔽板５の間の距離が減らされ、これら導電端子３が全面式に遮蔽されるため、これら導電端子５相互間に発生するクロストークが減らされて、コネクタのキャパシタンスが増し、インピーダンスマッチにより電気信号伝送を安定させる効果が提供される。また、本考案の接続遮蔽板５に設置されたロック孔５０２は挿入孔４６を通して対応コネクタのロック手段と係合される。
【００１３】
総合すると、本考案の薄型コネクタの構造は確実に考案の目的を達成し、実用新案登録の要件を具備している。なお、本考案に基づきなしうる細部の修飾或いは改変は、いずれも本考案の請求範囲に属するものとする。
【図面の簡単な説明】
【００１４】
【図１】本考案の薄型コネクタの立体分解図である。
【図２】図１の組立表示図である。
【図３】図１の組立表示図である。
【図４】図１の組立表示図である。
【図５】図４の１８０度回転後の立体図である。
【図６】図４の正面図である。
【図７】図６の７−７断面図である。
【図８】図６の８−８断面図である。
【符号の説明】
【００１５】
１  薄型コネクタ              ２  絶縁本体
３  導電端子                  ４  遮蔽体
５  接続遮蔽板                ２０  接続面
２１  接合面                  ２２  上面
２３  底面                    ２４、２５  側面
２６  ロックエリア            ２０１  接続溝
２０２  収容孔                ２０３  挿入孔
２０４  固定溝                ２２１、２３１  下凹プラットフォーム
２６１  ロック挿入溝          ２６２  組み付け孔
３０  接触部                  ３１  干渉部
３２  ソルダー部              ４０  第１遮蔽面
４１  第２遮蔽面              ４２  第３遮蔽面
４３、４４  側遮蔽面          ４７  凸耳
５０  組み付けアーム          ５１  接地ピン
５２  ピン                    ５３  支持板
５００  干渉部                ５０１  凸粒
５０２  ロック孔              ５１０  ソルダー部
【図１】
0003104378.tif 000003
【図２】
0003104378.tif 000004
【図３】
0003104378.tif 000005
【図４】
0003104378.tif 000006
【図５】
0003104378.tif 000007
【図６】
0003104378.tif 000008
【図７】
0003104378.tif 000009
【図８】
0003104378.tif 000010